(57)【特許請求の範囲】
【請求項１】
画像形成装置本体と、
この画像形成装置本体に設けられた電装部と、
この電装部を前記画像形成装置本体に対して回転自在に支持する支持部と、
前記画像形成装置本体側と前記電装部側とを電気的に接続する複数の配線と、
前記複数の配線を束ねる配線集合部材と、を有し、
前記配線集合部材が前記支持部の軸線上に配置され、
前記複数の配線は、太さが異なる少なくとも２つの配線を含み、前記画像形成装置本体側と前記電装部側のうち一方ではそれぞれの配線が前記配線集合部材より上方に位置し、かつ、太い配線が細い配線よりも前記支持部の軸線方向上方に位置し、他方ではそれぞれの配線が前記配線集合部材より下方に位置し、かつ、太い配線が細い配線よりも前記支持部の軸線方向下方に位置するように配置された画像形成装置。
【請求項２】
前記配線集合部材から前記電装部に向けて複数の配線を分岐させる分岐部をさらに有する請求項１記載の画像形成装置。
【請求項３】
前記配線集合部材は、複数の配線が該配線集合部材内で移動可能に構成されている請求項１又は２記載の画像形成装置。
【請求項４】
前記配線集合部材は、前記複数の配線を挟むように対向して設けられた案内部を有する請求項１乃至３いずれか記載の画像形成装置。
【請求項５】
前記配線集合部材は、前記案内部のいずれか一方に、前記案内部の他方に向けて突出するように設けられ、前記配線が前記配線集合部材から抜けるのを防止する配線抜け防止部を有する請求項４記載の画像形成装置。
【請求項６】
前記配線集合部材は、前記電装部の開閉に伴って前記画像形成装置本体に当たるのを避けるように曲面状に形成され本体側側面を有する請求項１乃至５いずれか記載の画像形成装置。
【請求項７】
前記電装部の外側を覆う被覆部をさらに有し、前記配線集合部材は前記被覆部が当たるのを防止するように曲面状に形成された被覆部側側面を有する請求項１乃至６いずれか記載の画像形成装置。
【発明の詳細な説明】
【技術分野】
【０００１】
本発明は、画像形成装置に関する。
【背景技術】
【０００２】
特許文献１は、開閉可能な電装部を備えた画像形成装置において、部品点数を低減するため、電装部から装置本体へ配線された電線が、電装部を開く方向に押圧し、電装部の開状態を保持するように構成したものを開示する。
【先行技術文献】
【特許文献】
【０００３】
【特許文献１】特開２００７−１１４２７３号公報
【発明の概要】
【発明が解決しようとする課題】
【０００４】
本発明は、画像形成装置本体に対して開閉自在な電装部の開閉角度を大きく保ちつつ、電装部に接続される複数の配線を小さくまとめることができる画像形成装置を提供することを目的としている。
【課題を解決するための手段】
【０００５】
上記目的を達成するため、請求項１に係る本発明は、画像形成装置本体と、この画像形成装置本体に設けられた電装部と、この電装部を前記画像形成装置本体に対して回転自在に支持する支持部と、前記画像形成装置本体側と前記電装部側とを電気的に接続する複数の配線と、前記複数の配線を束ねる配線集合部材と、を有し、前記配線集合部材が前記支持部の軸線上に配置されている画像形成装置である。
【０００６】
請求項２に係る本発明は、前記複数の配線は、太さが異なる少なくとも２つの配線を含み、前記電装部の開閉に伴って曲げられる場合、太い配線が細い配線よりも少ない曲がり度合いとなるように配置されている請求項１記載の画像形成装置である。
【０００７】
請求項３に係る本発明は、前記配線集合部材から前記電装部に向けて複数の配線を分岐させる分岐部をさらに有する請求項１又は２記載の画像形成装置である。
【０００８】
請求項４に係る本発明は、前記配線集合部材は、複数の配線が該配線集合部材内で移動可能に構成されている請求項１乃至３いずれか記載の画像形成装置である。
【０００９】
請求項５に係る本発明は、前記配線集合部材は、前記複数の配線を挟むように対向して設けられた案内部を有する請求項１乃至４いずれか記載の画像形成装置である。
【００１０】
請求項６に係る本発明は、前記配線集合部材は、前記案内部のいずれか一方に、前記案内部の他方に向けて突出するように設けられ、前記配線が前期配線集合部材から抜けるのを防止する配線抜け防止部を有する請求項５記載の画像形成装置である。
【００１１】
請求項７に係る本発明は、前記配線集合部材は、前記電装部の開閉に伴って前記画像形成装置本体に当たるのを避けるように曲面状に形成され本体側側面を有する請求項１乃至６いずれか記載の画像形成装置である。
【００１２】
請求項８に係る本発明は、前記電装部の外側を覆う被覆部をさらに有し、前記配線集合部材は前記被覆部が当たるのを防止するように曲面状に形成された被覆部側側面を有する請求項１乃至７いずれか記載の画像形成装置である。
【発明の効果】
【００１３】
請求項１に係る本発明によれば、画像形成装置本体に対して開閉自在な電装部の開閉角度を、本構成を有しない場合と比較して大きく保ちつつ、電装部に接続される複数の配線を、本構成を有しない場合と比較して小さくまとめることができる。
【００１４】
請求項２に係る本発明によれば、請求項１に係る本発明の効果に加えて、電装部の開閉に伴う配線の曲げに対する負荷を、本構成を有しない場合に比較して少なくすることができる。
【００１５】
請求項３に係る本発明によれば、請求項１又は２に係る本発明の効果に加えて、配線の電装部に対する接続作業を、本構成を有しない場合に比較して容易にすることができる。
【００１６】
請求項４に係る本発明によれば、請求項１乃至３いずれかに係る本発明の効果に加えて、電装部の開閉に伴う配線の移動による配線の負荷を吸収することができる。
【００１７】
請求項５に係る本発明によれば、請求項１乃至４いずれかに係る本発明の効果に加えて、電装部の開閉に伴う配線の移動方向を規制することができる。
【００１８】
請求項６に係る本発明によれば、請求項５に係る本発明の効果に加えて、電装部の開閉に伴って配線が配線集合部材から外れるを防止することができる。
【００１９】
請求項７に係る本発明によれば、請求項１乃至６いずれかに係る本発明の効果に加えて、電装部の開閉に伴って配線集合部材が画像形成装置本体に当たるのを避けることができる。
【００２０】
請求項８に係る本発明によれば、請求項１乃至７いずれかに係る本発明の効果に加えて、配線集合部材が被覆部が当たるのを防止することができる。
【図面の簡単な説明】
【００２１】
【図１】本発明の実施形態に係る画像形成装置の概要を示す側面図である。
【図２】本発明の実施形態に係る画像形成装置において、電装部を開いた場合の電装部付近を示す斜視図である。
【図３】本発明の実施形態に係る画像形成装置において、電装部を閉じた場合の電装部付近を示す斜視図である。
【図４】本発明の実施形態に係る画像形成装置に用いられた配線集合部材を示す平面図である。
【図５】本発明の実施形態に係る画像形成装置に用いられた配線集合部材を示し、図４のＡ方向から見た側面図である。
【図６】本発明の実施形態に係る画像形成装置に用いられた配線集合部材を示し、図５のＢ−Ｂ線断面図である。
【図７】本発明の実施形態に係る画像形成装置に用いられた分岐部の側面図である。
【発明を実施するための形態】
【００２２】
次に本発明の実施形態を図面に基づいて説明する。
図１は、本発明の実施形態に係る画像形成装置１０の概要を示す側面図である。画像形成装置１０は、例えばカラー用の電子写真方式のもので、画像形成部１２と、原稿読取装置１４とを有する。
【００２３】
画像形成部１２は、画像形成装置本体１６を有し、この画像形成装置本体１６内に、像保持体としての感光体１８と、この感光体１８を一様に帯電する帯電器２０と、この帯電器２０により一様に帯電された感光体１８に潜像を形成する露光装置（光書込み装置）２２と、この露光装置２２により形成された感光体２２上の潜像をトナーで可視化する現像装置２４と、この現像装置２４により形成されたトナー像が転写される中間転写体２６とを有する。
【００２４】
現像装置２４は、例えばロータリー式であり、イエロー（Ｙｅｌｌｏｗ）、マゼンタ（Ｍａｇｅｎｔａ）、シアン（Ｃｙａｎ）及び黒（Ｂｌａｃｋ）の４色のトナーを収容するトナーカートリッジ２８を備え、回転支軸３０を中心として一方向（図１において時計方向）へ回転駆動するようになっている。
【００２５】
４色のトナーカートリッジ２８は、回転支軸３０を中心に９０°間隔で配置されると共に、それぞれ現像ロール３２を備えている。この現像ロール３２が、感光体１８へトナーを供給するように構成されている。
【００２６】
中間転写体２６は、一次転写ロール３４、二次転写バックアップロール３６、及び複数（例えば、３つ）の張架ロール３８で張架され、一方向（図１において時計方向）へ回転駆動するようになっている。
【００２７】
画像形成装置本体１６の下部には、用紙収容部４０が設けられている。また、画像形成装置本体１２の上部には、用紙排出部４２が設けられている。用紙収容部４０から上方に向けて用紙搬送路４４が形成されている。
【００２８】
用紙収容部４０に収容された用紙は、送り出しロール４６により送り出され、用紙搬送路４４に設けられた搬送ロール４８により搬送され、同じく用紙搬送路４４に設けられたレジストロール５０で一時待機され、二次転写バックアップロール３６に対向して設けられた二次転写ロール５２と中間転写体２６との間を通ることにより中間転写体２６上のトナー像が転写され、同じく用紙搬送路４４に設けられた定着装置５４によりトナー像が定着され、排出ロール５６により用紙搬出部４２へ排出される。
【００２９】
原稿読取装置１４は、原稿を光学的に読み取るもので、用紙排出部４２の上方に設けられている。この原稿読取装置１４の例えば台座部分に操作表示装置（ユーザインターフェイス装置）５８が配置されている。
【００３０】
電装部６０は、画像形成装置本体１６内にあって、例えば反用紙搬送路側の側面に沿って設けられている。
【００３１】
電装部６０の周辺の構成について詳述する。図２は、電装部６０を開いた場合の電装部付近を示す斜視図である。図３は、電装部６０を閉じた場合の電装部付近を示す斜視図である。
【００３２】
前述した画像形成装置本体１６には本体側フレーム６２が設けられている。一方、電装部６０は、配線基板６４と、この配線基板６４を保持する配線基板保持部６６とを有する。本体側フレーム６２と配線基板保持部６４とは支持部６８，６８を介して回転自在に連結され、これにより画像形成装置本体１６に対して電装部６０が回転自在となっている。この電装部６０の開閉は、画像形成装置のメンテナンスをする場合などに行われる。
【００３３】
支持部６８，６８は、例えば、鉛直方向に２つ設けられたヒンジから構成されている。即ち、例えば本体側フレーム６２にヒンジ受け７０，７０が設けられ、基板保持部６６に挿入部７２，７２が設けられ、挿入部７２，７２がヒンジ受け７０，７０に回転自在であるように挿入されて構成されている。この支持部６８，６８の回転中心となる軸線がＬとして図２に表示されている。
【００３４】
複数の配線７４ａ，７４ｂ，７４ｃ，７４ｄ（任意の配線を表示する場合は配線７４とする。）は、本体側と電装部６０の配線基板６４とを電気的に接続する。例えば配線７４ａはユーザインターフェイス用で、前述した表示操作装置５８と配線基板６４とを接続する。例えば配線７４ｂは読取画像の伝送用で、前述した原稿読取装置１４と配線基板６４とを接続する。例えば配線７４ｃはＵＳＢ用で、図示しないＵＳＢ接続部と配線基板６４とを接続する。例えば配線７４ｄは画像読取装置制御信号伝送用で、原稿読取装置１４と配線基板６４とを接続する。
【００３５】
配線集合部材７６は、複数の配線７４を束ねて保持する。この配線集合部材７６は、配線基板保持部６６に固定され、電装部７０が開閉される場合は電装部７０と共に回転する。この配線集合部材７６は、上方に位置する支持部６８よりも上部に設けられている。さらにこの配線集合部材７６は、前述した支持部６８，６８の軸線Ｌ上に配置されている。ここで、軸線Ｌ上に配置されているとは、軸線Ｌが少なくとも配線集合部材７６の一部に当たることを意味する。電装部６０が開閉された場合、配線７４は、配線集合部材７６に保持された部分を中心として回転し、曲げられると共に軸方向に移動するが、配線集合部材７６が支持部６８，６８の軸線Ｌ上に配置されているので、配線７４の移動量が少なくなっている。
【００３６】
分岐部７８は、配線基板保持部６６にあって、配線集合部材７６と配線基板６４との間に設けられている。この分岐部７８は、配線集合部材７６により束ねられた各配線７４を分岐し、分岐された配線７４が配線基板６４に接続しやすくしてある。
【００３７】
配線７４は太さが異なる。即ち、この実施形態においては、ユーザインターフェイス用の配線７４ａが他の配線７４ｂ〜７４ｄと比較して最も太いが、この配線７４ａは、本体側では他の配線７４ｂ〜７４ｄよりも上方に位置し、分岐部７８では他の配線７４ｂ〜７４ｄよりも下方に位置する。このため、電装部６０が開閉された場合、配線７４ａの曲げ度合いが他の配線７４ｂ〜７４ｄよりも小さく、配線７４ａに対する負荷が少なくなるようにしてある。
【００３８】
なお、図３に示すように、電装部６０が閉じられている場合は、電装部６０の周囲はカバー（被覆部）８０に覆われている。このカバー８０は、本体側フレーム６２に着脱自在にはめ込まれる。
【００３９】
次に配線集合部材７６について詳述する。
図４は、配線集合部材７６の平面図であり、図５は、図４のＡ方向から見た側面図であり、図６は、図５のＢ−Ｂ線断面図である。
【００４０】
配線集合部材７６は、上下に対向する案内部８２，８２を有する。この案内部８２，８２の間の空間に配線７４が挿入され、配線７４の上下方向の移動を規制するようになっている。また、配線集合部材７６は、カバー側側面８４、本体側側面８６及び基板回路側側面８８を有する。カバー側側面８４は、案内部８２，８２間を閉鎖接続する接続壁９０を有する。このカバー側側面８４は、内側に凹むように曲面状に形成されており、図３に示すように、カバー８０の角部分が当たるのを防止するようにしてある。また、このカバー側側面８４の接続壁９０により案内部８２，８２間に挿入された配線７４のカバー側への移動が規制される。
【００４１】
本体側側面８６は本体側に向けて開放され、配線７４の入口となっている。この本体側側面８６は、外側へ突出するように曲面状に形成されており、図３に示すように、電装部６０の開閉に伴って本体側フレーム６２に当たるのを避けるようにしてある。基板回路側側面８８は分岐部７８に向けて開放され、配線７４の出口となっている。
【００４２】
上方の案内部８２のカバー側側面８４の反対側の端部には、配線抜け防止部９２が下側に突出するように設けられている。この配線抜け防止部９２は、配線７４が配線集合部材７６から抜けるのを防止する。
なお、この実施形態においては、配線抜け防止部９２を上方の案内部８２に形成したが、これに限定されるものではなく、例えば下方の案内部８２に上側に突出するように形成してもよく、また、両方の案内部８２，８２に形成してもよい。
【００４３】
次に分岐部７８について詳述する。
図７は、分岐部７８を示す側面図である。
分岐部７８は、配線集合部材７６に対向して狭く形成された入口部９４と、配線基板６４に対向して扇状に広げられた出口部９６とを有する。この分岐部７８には、配線７４ａ，７４ｂ，７４ｃ，７４ｄをそれぞれ固定するために複数の案内壁９８と固定爪１００とが設けられている。この実施形態においては、出口部９６では上方から読取画像の伝送用配線７４ｂ、画像読取装置制御信号伝送用配線７４ｄ、ＵＳＢ用配線７４ｃ、ユーザインターフェイス用配線７４ａの順で配置されており、同様の順序で配置された配線基板６４の接続口に接続されるようになっている。
【００４４】
なお、上記実施形態においては、配線集合部材７６を電装部６０側に固定したが、他の実施形態として本体側に固定してもよい。
【符号の説明】
【００４５】
１０    画像形成装置
１２    画像形成部
１４    原稿読取装置
１６    画像形成装置本体
５８    操作表示装置（ユーザインターフェイス装置）
６０    電装部
６２    本体側フレーム
６４    配線基板
７４ａ，７４ｂ，７４ｃ，７４ｄ    配線
７６    配線集合部材
７８    分岐部
８０    被覆部（カバー）
８２    案内部
８４    カバー側側面
８６      本体側側面
９２      配線抜け防止部
【図１】
0005467500.tif 000002
【図２】
0005467500.tif 000003
【図３】
0005467500.tif 000004
【図４】
0005467500.tif 000005
【図５】
0005467500.tif 000006
【図６】
0005467500.tif 000007
【図７】
0005467500.tif 000008